(57)【要約】      （修正有）【課題】早漏を防止可能とできると共に、使用時に陰茎から抜けにくくなるコンドームを提供する。【解決手段】コンドーム１０を、長手方向の少なくとも基端部近傍１５の内周部に断面形状が径方向中心側に突起する内側突起部１３が設けられている。内側突起部１３は、その内径部の内径寸法ｄ１より小さな内径寸法ｄ２と幅寸法Ｗとを有すると共に周方向に連続するリング状に形成されている。そして、このリング状の内側突起部１３をコンドーム１０の長手方向先端部近傍１４と、コンドーム１０の基端部近傍１５と、先端部近傍１４と基端部近傍１５との略中間の中央部近傍１６に設ける。コンドーム１０の長手方向先端部近傍１４は、コンドーム１０を装着したとき、陰茎の亀頭部の略後端部に相当する位置となっている。【選択図】図１
2009195684.tif 000002
【特許請求の範囲】
【請求項１】
長手方向の少なくとも基端部近傍の内周部に断面形状が前記長手方向と直交する径方向の中心側に向いて突起する内側突起部を設けると共に、前記基端部近傍を陰茎の根元部近傍に対応させたことを特徴とするコンドーム。
【請求項２】
請求項１に記載のコンドームにおいて、
前記内側突起部を前記内周部に沿ったリング状に形成したことを特徴とするコンドーム。
【請求項３】
請求項２に記載のコンドームにおいて、
前記リング状の内側突起部を、予め製造されると共にコンドーム製造用の型部材の溝に装着された突起用リング部材を基にして形成したことを特徴とするコンドーム。
【請求項４】
請求項３に記載のコンドームにおいて、
前記突起用リング部材の外径寸法を前記型形部材の外径寸法より大きく形成したことを特徴とするコンドーム。
【請求項５】
請求項１ないし請求項４のいずれか一つに記載のコンドームにおいて、
前記内側突起部内に、陰茎に装着したとき当該陰茎の神経を刺激し血流を活性化させる血流活性化部材を埋め込んだことを特徴とするコンドーム。
【発明の詳細な説明】
【技術分野】
【０００１】
本発明は、コンドームに係り、より詳しくは、男性の早漏を防止可能とできると共に陰茎に装着して使用する際に抜けにくくなり、かつＥＤ（勃起障害）の治癒をも可能とするコンドームに関する。
【背景技術】
【０００２】
従来、産児制限等のために使用するコンドームが知られている（例えば特許文献１参照）。
この公報に開示されたコンドームは、その一部に人工皮膚を使用したものであるが、その全体形状は、例えば、図１７に示すような、一般的なコンドーム１００と略同じである。
一般的なコンドーム１００は、薄い原料ラテックスやシリコンゴム等により細長の筒状袋に形成されており、その先端に液溜まり部１１１が設けられている。
【先行技術文献】
【特許文献】
【０００３】
【特許文献１】特開２００４−３２１６０２号公報
【発明の概要】
【発明が解決しようとする課題】
【０００４】
ところで、図１７に示すコンドーム１００の内周部には、未使用時に、コンドーム自身の内周部同士が付着して開きにくくならないように、例えば、ゼリー状部材が薄く塗布されている。そのため、陰茎にコンドーム１００を装着した際に、そのゼリー状部材が陰茎に付着して滑りやすくなるので、使用中にコンドーム１００が抜けやすくなる。
また、コンドーム１００は、前述のように、薄い原料ラテックス等を使用して略同一径寸法で細長の筒状袋に形成されているので、コンドーム１００の使用時に、陰茎に対しての引っ掛り部がなく、使用中にコンドーム１００が抜けやすいという問題がある。その結果、不測の事態が発生するおそれがある。
【０００５】
さらに、世の中の多くの男性が早漏の悩みを持っていることが各種の調査でわかっており、そのことが、充実した夫婦生活を送るための一つの障害となっている。
また、最近のコンドームは、少しでも装着感をなくそうとして、より薄型化を目指すようになってきている。そのため、ますます刺激が強くなり、早漏防止が困難となっている。
早漏予防の方法の一つとして、医師やカウンセラー等の奨める、陰茎、特にその根元を強く押えることが知られている。ところが、従来のコンドーム１００では、自分か相手の手で押えることになり、行為の途中でそのような動作が加わることで雰囲気が損なわれることになる。
【０００６】
本発明は、前記問題点を解決するために提案されたものであり、早漏を防止可能とできると共に、使用時に陰茎から抜けにくくなるコンドームを提供することを目的とする。
【課題を解決するための手段】
【０００７】
本発明のコンドームは、長手方向の少なくとも基端部近傍の内周部に断面形状が前記長手方向と直交する径方向の中心側に向いて突起する内側突起部を設けると共に、前記基端部近傍を陰茎の根元部近傍に対応させたことを特徴とする。
【発明の効果】
【０００８】
本発明は、以上のように構成されているので、コンドームを陰茎に装着したとき、長手方向の少なくとも基端部近傍の内周部に形成された内側突起部が陰茎の根元部近傍により押し広げられる。すると、押し広げられた内側突起部には元に戻ろうとする反力が発生し、その力が陰茎を強く締め付ける。その結果、少なくとも陰茎の根元部近傍が強く押えられた状態となり、射精感が抑えられるので早漏を防止可能とできる。
また、少なくとも基端部近傍の内側突起部により陰茎の根元部近傍が強く締め付けられるので、コンドームが抜けにくくなるという効果がある。
【図面の簡単な説明】
【０００９】
【図１】本発明に係るコンドームの第１実施形態を示し膨らました状態を示す一部断面の側面図である。
【図２】前記第１実施形態のコンドームの装着開始状態を示す側面図である。
【図３】前記第１実施形態のコンドームを陰茎に装着した状態を示す全体側面図である。
【図４】前記第１実施形態のコンドームの部分詳細図で、図４（Ａ）は図１のａ部拡大を示す縦断面図、図４（Ｂ）は図３のｂ部拡大を示す縦断面図である。
【図５】図３におけるＶ−Ｖに沿った縦断面図である。
【図６】前記第１実施形態のコンドームを製作する型部材を示す縦断面図である。
【図７】本発明に係るコンドームの第２実施形態を示す縦断面図である。
【図８】前記第２実施形態の突起用リング部材を型部材の溝部に装着した状態を示す縦断面図である。
【図９】本発明に係るコンドームの第３実施形態を示す縦断面図である。
【図１０】前記第２実施形態の突起用リング部材を型部材の溝部に装着した状態を示す縦断面図である。
【図１１】本発明に係るコンドームの第４実施形態を示す縦断面図である。
【図１２】前記第４実施形態の突起用リングを示す一部断面の平面図である。
【図１３】前記第４実施形態の突起用リングを型部材の溝部に装着した状態を示す縦断面図である。
【図１４】本発明の変形形態を示し、同図１４（Ａ）はコンドームの部分拡大を示す縦断面図であり、同図１４（Ｂ）は同図１４（Ａ）のＢ−Ｂ線に沿った縦断面図である。
【図１５】本発明の他の変形形態を示し、同図１５（Ａ）はコンドームの部分拡大を示す縦断面図であり、同図１５（Ｂ）は同図１５（Ａ）のＢ−Ｂ線に沿った縦断面図である。
【図１６】本発明の第１実施形態のコンドームを製作する型部材の変形形態を示す縦断面図である。
【図１７】従来のコンドームを示す側面図である。
【発明を実施するための最良の形態】
【００１０】
以下、本発明に係るコンドームの一実施形態を図面に基づいて説明する。
図１には、第１実施形態のコンドーム１０が膨らんだ状態で示されている。
【００１１】
コンドーム１０は、原料ラテックス、ポリウレタン、シリコンゴム等の極薄材料で形成されており、図１，３に示すように、陰茎の全長にわたる長さの細長の筒状袋に形成されている。
コンドーム１０の先端部には液溜まり部１１が設けられ、基端部には補強部１２が形成されている。
【００１２】
また、コンドーム１０の内周部には、膨らましたとき、断面がコンドーム１０の長手方向と直交する径方向中心側に突起する内側突起部１３，１３Ａが形成されている。この内側突起部１３，１３Ａは、コンドーム１０の長手方向の例えば３箇所位置に形成されている。
すなわち、コンドーム１０の先端部近傍１４には内側突起部１３、コンドーム１０の基端部近傍１５には内側突起部１３Ａ、上記先端部近傍１４と基端部近傍１５との略中間の中央部近傍１６には内側突起部１３が形成されている。
【００１３】
このうち、先端部近傍１４の内側突起部１３は、図２に示すように、コンドーム１０を陰茎２０の亀頭部２４に装着し、矢印Ａ方向に沿って基端部近傍１５側にずらしていったとき、陰茎２０の亀頭部２４の略後端部に相当する位置に形成されている。
また、図３に示すように、コンドーム１０の基端部近傍１５は陰茎２０の根元部近傍２５に対応しており、基端部近傍１５の内側突起部１３Ａは、陰茎２０の根元部近傍２５に相当する位置に形成されている。
さらに、コンドーム１０の中央部近傍１６は陰茎２０の略中央部２６に対応しており、したがって、中央部近傍１６の内側突起部１３は、陰茎２０の略中央部２６に相当する位置に形成されている。
【００１４】
これらの内側突起部１３，１３Ａは、図１および図１のａ部を表す図４(Ａ)に示すように、コンドーム１０の内周部に、かつ内径の中心側に向かって、つまりコンドーム１０の長手方向と直交する方向に突起して設けられている。
内側突起部１３は、所定寸法の幅Ｗと、コンドーム１０の内周部における内径寸法ｄ１より小さな内径寸法ｄ２とを有し、前記先端部近傍１４と基端部近傍１５と中央部近傍１６との３箇所のそれぞれで、周方向に連続するリング状に形成されている。
【００１５】
ここで、内側突起部１３等の各寸法を図４(Ａ)に基づいて説明する。
コンドーム１０の内径寸法はｄ１となっており、内側突起部１３の内径寸法が上述のようにｄ２となっている。つまり、内側突起部１３は、内径寸法ｄ１から内径寸法ｄ２を減じた突起寸法ｄ３と、幅寸法Ｗとに形成されている。
そして、この突起寸法ｄ３は、例えば１．０ｍｍ〜２．０ｍｍに設定され、また、内側突起部１３の幅寸法Ｗは、例えば２．０ｍｍ〜４．０ｍｍに設定されている。
【００１６】
ただし、突起寸法ｄ３は上記数値に限定されない。１．０ｍｍ以下でもよく、また２．０ｍｍ以上でもよい。さらに幅寸法Ｗも上記数値に限定されず、１．０ｍｍ以下でもよく、また２．０ｍｍ以上でもよい。仮に、突起寸法ｄ３の数値を大きく設定すれば、陰茎２０（図２，３参照）に装着したときに生じる反力が、その分大きくなるので、より早漏防止効果と抜け止め効果とが向上する。
上述のように、突起寸法ｄ３および幅寸法Ｗは、１．０ｍｍ以下でもよいが、その数値が、０．１ｍｍ、０．２ｍｍ等あまりに小さいと効果が得られないので、少なくとも１．０ｍｍに近い寸法、また、１．０ｍｍ以上が好ましい。
【００１７】
これに対して、本実施形態では、陰茎２０の根元部近傍２５に対応する基端部近傍１５の内側突起部１３Ａの突起寸法ｄ３および幅寸法Ｗが、他の先端部近傍１４、中央部近傍１６の突起寸法ｄ３および幅寸法Ｗよりも、所定寸法大きく形成されている。
すなわち、先端部近傍１４および中央部近傍１６の突起寸法ｄ３が例えば１．０ｍｍ、幅寸法Ｗが例えば２．０ｍｍに形成されている場合、基端部近傍１５の突起寸法ｄ３は例えば１．５ｍｍ、幅寸法Ｗが例えば３．０ｍｍに形成されている。
そのため、コンドーム１０を陰茎２０に装着したとき、基端部近傍１５の内側突起部１３Ａの反力がより大きくなり、手で押えたのと同様の効果となり、より早漏防止と抜け防止との効果が生じる。
【００１８】
以上のようなコンドーム１０を、図２に示すように陰茎２０に装着する際、まず、コンドーム１０の基端を陰茎２０の亀頭部２４に被せると共に矢印Ａ方向に進めていくと、最初に、陰茎２０によりコンドーム１０の先端部近傍１４の内側突起部１３が押し広げられる。
次に、コンドーム１０の長手方向略中央部近傍１６の内側突起部１３の内径、最後に、コンドーム１０の基端部近傍１５の内側突起部１３Ａがそれぞれ押し広げられる。そして、図３に示すように陰茎２０全体に装着される。
【００１９】
陰茎２０にコンドーム１０が装着され、陰茎２０が内側突起部１３，１３Ａの内径を押し広げる際は、その陰茎２０により、図４（Ｂ）に示すように、内側突起部１３が矢印Ｐ１で示す方向に生じる拡開力により押し広げられる。その結果、内側突起部１３が、その突起寸法ｄ３分だけコンドーム１０の内周から外側に突起した状態となる。
【００２０】
陰茎２０にコンドーム１０が装着されたとき、図４（Ｂ）および図５に矢印Ｐ２で示す方向に生じる反力により、内側突起部１３，１３Ａには、押し広げられた後、元の状態に戻ろうとする作用が働き、この内側突起部１３の反力により陰茎２０が締め付けられる。
その結果、コンドーム１０が装着されている間中、陰茎２０が長手方向３箇所の内側突起部１３により強く押された状態となるので刺激が抑えられ、これにより、早漏を防止することが可能となり、また、長手方向３箇所の内側突起部１３，１３Ａがそれぞれ引掛かり部となって、陰茎２０からコンドーム１０が抜けにくくなる。
【００２１】
特に、本第１実施形態では、基端部近傍１５の内側突起部１３Ａの突起寸法ｄ３および幅寸法Ｗが、他の先端部近傍１４、中央部近傍１６の突起寸法ｄ３および幅寸法Ｗよりも大きく形成されているので、コンドーム１０に陰茎２０を装着したとき生じる反力が大きくなる。その結果、より早漏を防止することが可能となり、また、より抜けにくくなる。
【００２２】
以上のようなコンドーム１０は、図６に示すように、例えば、硬質ガラスの型部材３０を使用して製作することができる。
すなわち、コンドーム製造装置３に設けられた型部材３０には、コンドーム１０の先端部近傍１４の内側突起部１３に対応する先端部３４の窪み部３３、コンドーム１０の中央部近傍１６の内側突起部１３に対応する中央部３６の窪み部３３、およびコンドーム１０の基端部近傍１５の内側突起部１３Ａに対応する基端部３５の窪み部３３Ａが形成されている。
第１実施形態では、これらの窪み部３３が例えば半円球状に形成されている。そのため、前記内側突起部１３の幅寸法Ｗが例えば２．０ｍｍなら、幅寸法Ｗは１．０ｍｍとなるように窪み部３３の寸法が設定されている。
また、内側突起部１３ＡＷが例えば３．０ｍｍなら、幅寸法Ｗは１．５ｍｍとなるように窪み部３３Ａの寸法が設定されている。
【００２３】
そして、以上のように形成されている型部材３０を、原料ラテックス等の液に所定時間浸して型部材３０の表面に原料ラテックス等を付着させ、その付着したラテックスを乾燥させた後、乾燥したラテックス等を型部材３０から取り外せばコンドーム１０の完成となる。
ここで、型部材３０を原料ラテックスの液に浸したとき、窪み部３３，３３Ａ内にも原料ラテックス等が入り込み、その原料ラテックス等が乾燥すると、上記コンドーム１０に２箇所の内側突起部１３および１箇所の内側突起部１３Ａが形成されることになる。そして、各窪み部３３，３３Ａは、前述のように半円球状に形成されているので、完成したコンドーム１０の内側突起部１３を容易に取り出せる。
【００２４】
以上のような本実施形態によれば、次のような効果がある。
（１）コンドーム１０を陰茎２０に装着した際、長手方向３箇所のそれぞれで、内周部に形成された内側突起部１３，１３Ａが陰茎２０により押し広げられる。すると、押し広げられた内側突起部１３，１３Ａには元に戻ろうとする反力が発生し、その力が陰茎２０を強く締め付ける。その結果、陰茎２０を強く押えた状態となるので早漏を防止可能とできる。
【００２５】
（２）コンドーム１０を陰茎２０に装着した際、長手方向３箇所のそれぞれで、内周部に形成された内側突起部１３，１３Ａが陰茎２０に引っ掛かった状態となるので、コンドーム１０が抜けにくくなるという効果がある。
【００２６】
（３）コンドーム１０の基端部近傍１５の内側突起部１３Ａの突起寸法ｄ３および幅寸法Ｗが、他の先端部近傍１４、中央部近傍１６の突起寸法ｄ３および幅寸法Ｗよりも大きく形成されているので、装着したとき、基端部近傍１５の内側突起部１３Ａの反力が他の部位よりも大きくなる。その結果、あたかも手で陰茎２０の根元部近傍２５を押えた状態と同じとなり、早漏防止と抜け防止とのより大きな効果が生じる。
【００２７】
（４）コンドーム１０の取り外しに際して、装着しているときは突起している内側突起部１３，１３Ａを摘んで基端部近傍１５側から先端部近傍１４側に巻き込んでいくことができるので、取り外しが容易となる。
【００２８】
（５）コンドーム１０を陰茎２０に装着したとき、コンドーム１０の内周部に設けられた内側突起部１３，１３Ａが外周から外側に突起するので、その突起した内側突起部１３，１３Ａによりパートナーに刺激が与えられ、これにより、充実した夫婦生活、充実したカップルライフを得ることができる。
【００２９】
次に、本発明に係るコンドームの第２実施形態を図７、図８に基づいて説明する。
図７は第２実施形態のコンドーム４０を形成する際の型部材３０との関係を示す全体側面図であり、図８は突起用リング４５を型部材３０に装着した状態を示す拡大部分断面図である。
【００３０】
本第２実施形態のコンドーム４０は、前記第１実施形態のコンドーム１０の内側突起部１３，１３Ａに相当する内側突起部４３，４３Ａを形成するのに突起用リング４５を用いたものである。
すなわち、前記突起用リング４５は、例えば原料ラテックスやシリコンゴム等、コンドーム４０の材質と同一材質で予め形成されている。そして、この突起用リング４５を型部材３０の窪み部３３，３３Ａに嵌め込んだ後、型部材３０を原料ラテックスの液に所定時間浸して、乾燥させることで内側突起部４３，４３Ａを有するコンドーム４０が形成される。
第２実施形態のコンドーム４０と第１実施形態のコンドーム１０とは、突起用リング４５を用いる点が異なるのみで、他の構成はまったく同じである。したがって、同一部材には同一符号を付して、それらについての詳細な説明は省略する。
【００３１】
突起用リング４５は、型部材３０の窪み部３３，３３Ａに嵌り込む大きさに形成されており、そのリング４５を、図７に示すように拡げながら前記型部材３０の基端部３５の窪み部３３Ａから順に、中央部３６の窪み部３３、先端部３４の窪み部３３にそれぞれ嵌め込んで装着する。
その後、型部材３０を原料ラテックスの液に浸すことで、図８に示すように、突起用リング４５の周囲にも原料ラテックスの液が付着し、これにより内側突起部４３，４３Ａを有するコンドーム４０が形成されるようになっている。
【００３２】
ここで、突起用リング４５の大きさは、図８に示すように、外形寸法がＤ１、内径寸法がＤ２、厚さ寸法がＷ１となっている。
これに対して、型部材３０の窪み部３３，３３Ａの寸法は、コンドーム４０外形寸法がｄ１、内径寸法がｄ２、突起寸法ｄ３となるように形成されており、幅寸法Ｗは突起用リング４５の厚さ寸法Ｗ１より大きな寸法に形成されている。
そのため、窪み部３３，３３Ａに突起用リング４５を嵌め込んだとき、窪み部３３，３３Ａと突起用リング４５の外周とに隙間Ｓが生じる。そして、その状態で型部材３０を原料ラテックスの液に浸せば、上記隙間Ｓ内に原料ラテックスの液が入り込み、突起用リング４５を包み込む。これにより、原料ラテックスの液と突起用リング４５とが略一体化した状態となる。
【００３３】
窪み部３３，３３Ａと突起用リング４５との寸法が異なるため、突起用リング４５を嵌め込んだとき、その突起用リング４５の位置が偏ることもあるが、仮に、突起用リング４５の内径一部が窪み部３３，３３Ａの深さ方向先端一部に接触した場合、厳密には接触したその箇所には原料ラテックスの液は入り込まず、その部位では突起用リング４５は包み込まれない可能性もあるが、その他の部位では原料ラテックスの液により突起用リング４５が包み込まれるので、確実に内側突起部４３，４３Ａが形成される。
【００３４】
また、突起用リング４５を装着した後、型部材３０を原料ラテックスの液に浸したとき、型部材３０をわずかに揺することにより突起用リング４５の全周を原料ラテックスの液で包み込むことが可能となる。
さらに、突起用リング４５の内径寸法Ｄ２が型部材３０の外形寸法ｄ１より小さいので、突起用リング４５を型部材３０の窪み部３３，３３Ａに装着した後、勝手に外れることがない。
なお、図８において、窪み部３３Ａおよび内側突起部４３Ａは（３３Ａ）、（４３Ａ）として記載してあるが、これらは、型部材３０の基端部３５およびコンドーム４０の基端部近傍４５に対応するものである。
【００３５】
以上のような第２実施形態のコンドーム４０によれば、前記第１実施形態の（１）〜（６）と略同様の効果の他、次のような効果を得ることができる。
（７）窪み部３３，３３Ａに突起用リング４５を嵌め込んだ後型部材３０を原料ラテックスの液に浸すと、突起用リング４５と窪み部３３，３３Ａの隙間Ｓとに原料ラテックスの液が入り込む。その隙間Ｓ内の原料ラテックスの液が乾燥すると内側突起部４３，４３Ａを有するコンドーム４０が完成するので、突起用リング４５がない場合と比べて窪み部３３，３３Ａ内の原料ラテックスの液の乾燥時間を短縮することができ、これにより、生産性の向上を図ることができる。
【００３６】
（８）突起用リング４５の内径寸法Ｄ２が型部材３０の外形寸法ｄ１より小さいので、突起用リング４５を型部材３０の窪み部３３，３３Ａに装着した後、勝手に外れることがない。
【００３７】
次に、本発明に係るコンドームの第３実施形態を図９、図１０に基づいて説明する。
図９は第３実施形態のコンドーム５０を形成する際の前記型部材３０との関係を示す全体側面図であり、図１０はリング５５を型部材３０に装着した状態を示す拡大部分断面図である。
【００３８】
本第３実施形態のコンドーム５０は、前記第１実施形態のコンドーム１０の内側突起部１３，１３Ａに相当する内側突起部５３，５３Ａを形成するのに突起用リング５５を用いたものである。そして、本第３実施形態のコンドーム５０では、内側突起部５３および内側突起部５３Ａにおいて、内周のみならず、外周に、外方に突起する突起部５０ａをも有する形状としたものである。
【００３９】
すなわち、この突起用リング５５は、前記突起用リング４５と同一材質で、かつ略同一形状に予め形成されている。ただし、突起用リング５５は突起用リング４５よりも外径寸法が大きく形成されている。そのため、第３実施形態のコンドーム５０では、内側突起部５３および内側突起部５３Ａにおいて、それぞれコンドーム５０の外方に突出したリング状の上記突起部５０ａが形成されることになる。
そして、この突起用リング５５を型部材３０の窪み部３３に嵌め込んだ後、型部材３０を原料ラテックスの液に所定時間浸して、乾燥させることで、それぞれが外方に突出した突起部５０ａを有する内側突起部５３，５３Ａを備えたコンドーム５０が形成される。
【００４０】
突起用リング５５は、その内径寸法Ｄ１１が型部材３０の窪み部３３，３３Ａに嵌り込む大きさに形成されており、図９に示すように拡げながら前記型部材３０の基端部３５の窪み部３３Ａから順に、中央部３６の窪み部３３、先端部３４の窪み部３３にそれぞれ嵌め込んで装着する。その後、型部材３０を原料ラテックスの液に浸すことで、突起用リング５５の周囲にも原料ラテックスの液が付着し、これにより、それぞれが外方に突出した突起部５０ａを有する内側突起部５３，５３Ａが形成されるようになっている。
【００４１】
ここで、突起用リング５５の大きさは、図１０に示すように、外形寸法がＤ１２、内径寸法がＤ１１、厚さ寸法がＷ１となっている。
これに対して、型部材３０の窪み部３３の寸法は、コンドーム４０外形寸法がｄ１、内径寸法がｄ２、突起寸法ｄ３となるように形成されており、幅寸法Ｗは突起用リング４５の厚さ寸法Ｗ１より大きな寸法に形成されている。
【００４２】
そのため、窪み部３３，３３Ａに突起用リング５５を嵌め込んだとき、窪み部３３，３３Ａと突起用リング５５の外周とに隙間Ｓが生じる。そして、その状態で型部材３０を原料ラテックスの液に浸したとき、上記隙間Ｓ内に原料ラテックスの液が入り込み、突起用リング５５の内径側の略半分を包み込むと共に、窪み部３３，３３Ａから型部材３０のそれぞれ外方に突出した突起部５０ａを包み込み、これにより、原料ラテックスの液と突起用リング５５とが略一体化した状態となる。
そして、前述のように、外方に突出した突起部５０ａを有する内側突起部５３，５３Ａを備えたコンドーム５０が形成される。
【００４３】
なお、窪み部３３，３３Ａと突起用リング５５の内径寸法が異なるため、突起用リング５５を嵌め込んだとき、その突起用リング５５の位置が窪み部３３，３３Ａに対して偏ることもあるが、仮に、突起用リング５５の内径一部が窪み部３３，３３Ａの深さ方向先端一部に接触した場合、厳密には接触したその箇所には原料ラテックスの液は入り込まず、その部位では突起用リング５５は包み込まれない可能性もあるが、その他の部位では原料ラテックスの液により突起用リング５５が包み込まれるので、確実に内側突起部５３，５３Ａが形成される。
また、突起用リング５５を装着した後、型部材３０を原料ラテックスの液に浸したとき、型部材３０をわずかに揺することにより突起用リング５５の全周を原料ラテックスの液で包み込むことが可能となる。
【００４４】
以上のような第３実施形態のコンドーム５０によれば、前記（１）〜（８）と略同様の効果の他、次のような効果を得ることができる。
（９）突起用リング５５が型部材３０の窪み部３３，３３Ａから外方に突出した突起部５０ａを有する大きさとなっているので、内周部の内側突起部５３，５３Ａと突起部５０ａとを合計した寸法、つまり突起用リング５５の厚さ分が外側に突起するため、コンドーム５０を陰茎２０に装着した際、より強い反力が生じ、陰茎２０を強く締め付ける。その結果、陰茎２０を強く押えた状態となるので早漏を防止可能とできると共に、使用中の抜けを防止可能とできる。
【００４５】
（１０）突起用リング５５が、それぞれの内側突起部５３，５３Ａで、コンドーム５０の外方に突出した突起部５０ａを有する大きさとなっているので、コンドーム５０を陰茎２０に装着したとき、内周部の内側突起部５３，５３Ａと突起部５０ａとを合計した寸法、つまり突起用リング５５の厚さ分が外側に突起するため、パートナーへの刺激が強まり、より充実した夫婦生活、充実したカップルライフを送ることができる。
【００４６】
次に、本発明に係るコンドームの第４実施形態を図１１〜１３に基づいて説明する。
図１１は第４実施形態のコンドーム６０を形成する際の型部材３０との関係を示す全体側面図であり、図１２は磁石入り突起用リング６５を示す全体平面図であり、図１３は磁石入り突起用リング６５を型部材３０に装着した状態を示す拡大部分断面図である。
【００４７】
第４実施形態のコンドーム６０は、前記第１実施形態の内側突起部１３，１３Ａおよび第２実施形態の内側突起部４３，４３Ａに相当する内側突起部６３，６３Ａに、陰茎２０の神経を刺激して血流を活性化させ、血行をよくする血流活性化部材を埋め込んだものである。
【００４８】
すなわち、本第４実施形態では、前記第１〜第３実施形態での早漏を防止可能とできると共に、使用時に陰茎から抜けにくくする、という目的に加えて、血流活性化部材を用いることで、陰茎の神経および細胞に刺激を与え、血流を活性化させて血行をよくし、それにより、ＥＤ（勃起障害）の治癒をも可能とする、という目的も有しているものである。
そして、血流活性化部材として、例えばゴム磁石６７が用いられており、磁石を使用することにより磁場を生じさせ、その磁場により血流の活性化を図ろうとするものである。
【００４９】
ここで、体内に磁石による作用が働くと、発生する磁場により体内の神経、細胞に刺激が与えられ、その結果、神経および細胞が活性化して血流も活性化し血行がよくなる、とされている。そして、磁石を埋め込んだ布団や、磁石を組み込んだ腕輪等が多く販売され、広く利用されている。また、磁石を利用した健康器具では医療機器としても認証されたものもある。
【００５０】
本第４実施形態のコンドーム６０は、前記第１実施形態のコンドーム１０等と同様に原料ラテックス等の材料で形成され、また、コンドーム６０の内周部には、膨らましたとき径方向中心側に突起する前記内側突起部６３，６３Ａが形成されている。この内側突起部６３，６３Ａは、前記第１〜第３実施形態のコンドーム１０，４０，５０と同様に、コンドーム６０の長手方向の３箇所位置に形成されている。
【００５１】
そして、本第４実施形態のコンドーム６０の内側突起部６３，６３Ａは、前記第２実施形態のコンドーム４０の内側突起部４３，４３Ａの形成と同様の方法により形成される。
すなわち、内側突起部６３は突起用リング６５を用いて形成されている。この突起用リング６５は、前記突起用リング４５と同様の形状、材質で形成されている。そして、このような突起用リング６５には、予めゴム磁石６７が埋め込まれている。
【００５２】
図１１に示すように、コンドーム６０の内側突起部６３，６３Ａ内に装着される上記突起用リング６５は、前記第２実施形態の突起用リング４５と略同じ寸法に形成されている。この突起用リング６５の内部には、一部を断面した図１２に示すように、複数個（実施形態では４個）のゴム磁石６７が対向配置状態で埋め込まれている。
ただし、ゴム磁石６７の数は４個に限定されず、それ以下でもそれ以上でもよい。
【００５３】
ゴム磁石６７は、極細の棒状のものが使用されており、その大きさは、例えば丸棒状のものを４箇所に配置する場合、例えば直径１．０ｍｍ〜１．５ｍｍ×長さ１５．０ｍｍ〜１７．０ｍｍのものを使用することが好ましい。また、角棒状のものであれば、例えば１．０ｍｍ角〜１．５ｍｍ角×長さ１５．０ｍｍ〜１７．０ｍｍのものを使用することが好ましい。しかし、ゴム磁石６７の大きさは、上記寸法の大きさに限定されない。
このような大きさのゴム磁石６７を使用することで、隣り合うゴム磁石６７の間隔がゴム磁石６７自体の長さより短い寸法となっている。
なお、ゴム磁石６７の磁束の強さは特に限定されない。例えば、ネオジム磁石の粉末を混合して形成した磁束の強いゴム磁石を用いてもよい。
【００５４】
これに対して、内側突起部６３，６３Ａの寸法は、図１３に示すように、幅寸法Ｗが例えば２．０ｍｍ〜２．５ｍｍ、深さ寸法Ｄ３が例えば２．０ｍｍ〜２．５ｍｍに形成されている。
したがって、内側突起部６３，６３Ａは、所定寸法の幅Ｗと、コンドーム６０の内周部における内径寸法ｄ１より小さな内径寸法ｄ２との差の突起寸法ｄ３で形成されていることになる
【００５５】
各ゴム磁石６７の配置は、図１２に示すように、隣り合うゴム磁石６７の対向する部位が、同極となるように、つまり例えばＮ極とＮ極、Ｓ極とＳ極となるように配置されている。これにより、隣り合うゴム磁石６７の間隔より長い寸法に形成されているゴム磁石６７のＳ極とＮ極とにより大きな磁場が発生し、広範囲かつ深く浸透することになる。
なお、隣り合うゴム磁石６７の配置は上記に限定されず、Ｎ極とＳ極とが交互になるように配置してもよい。
【００５６】
このような第４実施形態のコンドーム６０を形成するには、まず、図１１に示すように、ゴム磁石６７を埋め込んだ突起用リング６５を、前記型部材３０の長手方向３箇所に形成されている窪み部３３，３３Ａに順次嵌め込む。
【００５７】
その後、型部材３０を原料ラテックス等の液に浸し型部材３０の表面に原料ラテックス等を付着させ、その付着したラテックスを乾燥させた後、乾燥したラテックス等を型部材３０から取り外せば、内部にゴム磁石６７を埋め込んだ突起用リング６５を用いた内側突起部６３，６３Ａを有するコンドーム６０が完成する。
【００５８】
以上のような第４実施形態によれば、前記第１、第２実施形態の（１）〜（８）と略同様の効果の他、次のような効果を得ることができる。
（１１）コンドーム６０の内側突起部６３，６３Ａが突起用リング６５を用いて形成され、この突起用リング６５内には、予め４個のゴム磁石６７が埋め込まれている。そのため、コンドーム６０を装着したとき、これらのゴム磁石６７から生じる磁場により、陰茎２０の神経および細胞が刺激されて活性化し、陰茎２０の血流が活性化し血行がよくなる。その結果、ＥＤ（勃起障害）を治癒することも可能となり、充実した夫婦生活、充実したカップルライフを得ることができる。
【００５９】
以上、前記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００６０】
例えば、前記第１実施形態では、内側突起部１３，１３Ａをそれぞれの位置で、コンドーム１０の内周部の全周にわたって連続する１本のリング状としたが、これに限らない。
図１４（Ａ），（Ｂ）に示すように断続した形状としてもよい。すなわち、コンドーム７０の内周方向に半割り状に形成した２つの内側突起部７３，７３を、それぞれの向きを変えて、かつコンドーム７０の長手方向に間隔をおいて配置した形状としてもよい。
この場合、前記型部材３０に替わる型部材には２つの内側突起部７３，７３に対応する窪み部を形成すればよい。
このようにしても、前記（１）〜（８）と略同様の効果が得られる。
【００６１】
なお、図１４に示すコンドーム７０においても、それぞれの内側突起部７３，７３に前記ゴム磁石６７を適宜埋め込んでもよい。この場合、半割りのリングを型部材３０の窪み部３３に装着することはできないので、ゴム磁石６７のみを使用し、初めにそのゴム磁石６７に原料ラテックス等の液を付着させた後、ゴム磁石６７を型部材３０の窪み部に付着させ、その型部材３０を原料ラテックス等の液に浸すようにすればよい。
【００６２】
さらに、前記第１実施形態のように、内周部の全周にわたって連続する１本のリング状に形成された内側突起部１３，１３Ａを、図１５（Ａ），（Ｂ）に示すような内側突起部８３としてもよい。
すなわち、この変形形態のコンドーム８０では、連続する１本のリング状ではなく、内側突起部８３が、同一円周方向に所定長さの、例えば４等分に断続されているが、全体としてリング状に形成されている。
なお、４等分に断続されたリング状でなくてもよく、２等分、３等分等の４等分以下、５等分、６等分等の４等分以上に断続されたリング状でもよい。
そして、この場合でも、それぞれの内側突起部８３に、図示しないが、例えば１個ずつのゴム磁石を埋め込んでもよい。
【００６３】
さらに、前記各実施形態では、３箇所の内側突起部１３と１３Ａ，４３と４３Ａ，６３と６３Ａとを、コンドーム１０，４０，６０の内周部の全周にわたって、また、内側突起部５３と５３Ａとをコンドーム５０の全周にわたって、かつ長手方向の同一位置で連続する１本のリング状となるように設けたが、これに限らない。長手方向の所定範囲にわたる螺旋形状のリングとしてもよい。
【００６４】
また、前記各実施形態では、内側突起部１３と１３Ａ，４３と４３Ａ，５３および５３Ａ，６３と６３Ａとをコンドーム１０，４０，５０，６０の先端部近傍１４、基端部近傍１５、中央部近傍１６の３箇所に設けたが、これに限らない。例えば基端部近傍１５のみの１箇所、あるいは基端部近傍１５と先端部近傍１４との２箇所に設けてもよい。さらに、４箇所、あるいはそれ以上の箇所に設けてもよいが、この場合、基端部近傍１５を含むものとする。また、前記各実施形態では、内側突起部１３と１３Ａ等を大きさが異なるものとしたが、これらは、同じ大きさでもよい。
【００６５】
また、前記第１、第２、第４実施形態では、内側突起部１３と１３Ａ，４３と４３Ａ，６３と６３Ａとをコンドーム１０，４０，６０の先端部近傍１４等、基端部近傍１５等、および中央部近傍１６等の３箇所にリング状に設けたが、これに限らない。内周部に、かつ膨らましたとき径方向中心側に突起するように形成されているものであれば、例えば半円球状の内側突起部を、基端部近傍１５を含む任意の場所に複数個設けてもよい。
【００６６】
さらに、前記第１実施形態では、内側突起部１３，１３Ａを有するコンドーム１０を製作するために、窪み部３３を設けた型部材３０を用いたが、例えば図１６に示すような型部材９０を用いてもよい。
すなわち、前記コンドーム製造装置３に設けられた型部材９０では、その先端部９４、中央部９６、および基端部９５の３箇所に、型部材９０の外方に突起する内側突起部９３が形成されている。そして、このような型部材９０を原料ラテックスの液に浸して型部材９０の表面に原料ラテックス等を付着させ、その付着したラテックスを乾燥させた後、型部材９０から取り外せば前記コンドーム１０の完成となる。
【００６７】
ただし、上記変形形態の型部材９０における内側突起部９３の外径寸法ｄ２は、図６に示す前記実施形態における型部材３０の窪み部３３の内径寸法ｄ２と等しく、つまりコンドーム１０の内側突起部１３の内径寸法ｄ２と等しい寸法に形成されている。そして、型部材９０の表面に原料ラテックス等を付着させて形成したコンドーム１０を反転させれば、内側突起部９３が内周部に設けられた状態となり、前記内側突起部１３が設けられた前記実施形態のコンドーム１０とすることができる。
【００６８】
また、前記第４実施形態では、血流活性化部材としてゴム磁石６７を用いたが、血流活性化部材は磁石に限らない。例えば、粉末状のゲルマニウムまたはトルマリンを原料ラテックス等に混合させたリングを形成し、このリングを型部材３０の窪み部３３，３３Ａに嵌め込んで使用してもよい。
このような実施携帯によれば、前記（１１）と略同様の効果を得ることができる。
【００６９】
さらに、前記各実施形態では、コンドーム１０，４０，５０，６０等を製造する際、硬質ガラスの型部材３０を使用して行なっているが、コンドーム１０等の製造は、これに限らない。要は、コンドーム１０等の内周部に、膨らましたとき径方向中心側に突起する内側突起部１３等を形成できればよいので、どのような装置、製造方法で製造してもよい。
【産業上の利用可能性】
【００７０】
本発明のコンドームは、産児制限などの必要性がある場合の家族計画等に利用できる。
【符号の説明】
【００７１】
１０，４０，５０，６０  コンドーム
１３，４３，５３，６３  内側突起部
１３Ａ，４３Ａ，５３Ａ，６３Ａ  内側突起部
１４  コンドームの先端部近傍
１５  コンドームの基端部近傍
１６  コンドームの中央部近傍
２０  陰茎
２４  亀頭部
２５  陰茎の根元部近傍
２６  陰茎の中央部
３０  型部材
３３，３３Ａ  窪み部
３４  型部材の先端部
３５  型部材の基端部
３６  型部材の中央部
４５，５５，６５  突起用リング
６７  ゴム磁石
【図１】
2009195684.tif 000003
【図２】
2009195684.tif 000004
【図３】
2009195684.tif 000005
【図４】
2009195684.tif 000006
【図５】
2009195684.tif 000007
【図６】
2009195684.tif 000008
【図７】
2009195684.tif 000009
【図８】
2009195684.tif 000010
【図９】
2009195684.tif 000011
【図１０】
2009195684.tif 000012
【図１１】
2009195684.tif 000013
【図１２】
2009195684.tif 000014
【図１３】
2009195684.tif 000015
【図１４】
2009195684.tif 000016
【図１５】
2009195684.tif 000017
【図１６】
2009195684.tif 000018
【図１７】
2009195684.tif 000019